(57)【要約】【課題】様々な形状の吐水口に対して、電気部品の電線コードを吐水口の内部の特定の位置に配線することができる水栓を提供する。【解決手段】水栓１０は、湾曲部分１３ａを有する吐水口１３と、吐水口１３に取り付けられるセンサユニット３０と、吐水口１３の先端に着脱可能に設けられた吐水ヘッド１４と、吐水ヘッド１４に連結されるとともに、吐水口１３の内部に出し入れ移動可能に挿通されたホース１６と、吐水口１３とホース１６との間に介在されたホースガイド２０とを備えている。センサユニット３０の電線コード３３が吐水口１３の内部に配線されている。ホースガイド２０に取り付けられて、ホースガイド２０の外周に電線コード３３を保持する保持部材４０を備えている。【選択図】図１
2018066210.tif 000002
【特許請求の範囲】
【請求項１】
湾曲部分を有する吐水口と、
前記吐水口に取り付けられる電気部品と、
前記吐水口の先端に着脱可能に設けられた吐水ヘッドと、
前記吐水ヘッドに連結されるとともに、前記吐水口の内部に出し入れ移動可能に挿通されたホースと、
前記吐水口と前記ホースとの間に介在されたホースガイドとを備え、
前記電気部品の電線コードが前記吐水口の内部に配線された水栓であって、
前記ホースガイドに取り付けられて、前記ホースガイドの外周に前記電線コードを保持する保持部材を備えることを特徴とする水栓。
【請求項２】
前記保持部材には、前記ホースガイドに当接して前記ホースガイドに対する周方向の移動を規制する周方向規制部が設けられていることを特徴とする請求項１に記載の水栓。
【請求項３】
前記ホースガイドは、一方の縁部から幅方向に延びる複数の第１スリットと、前記第１スリット同士の間に位置して、一方の縁部側の端部が閉じた形状の第２スリットとを有するシート材が幅方向に巻回されてなる筒状の部材であり、
前記保持部材は、前記ホースガイドに取り付けられる取付部を備え、
前記取付部には、前記周方向規制部として、前記第１スリットに挿入される第１突部及び前記ホースガイドの一方の縁部に当接する当接部の少なくとも一方と、前記第２スリットに挿入される第２突部とが設けられていることを特徴とする請求項２に記載の水栓。
【請求項４】
前記ホースガイドは、重なり部分を有して巻回されてなる筒状の部材であり、
前記保持部材の前記取付部は、前記ホースガイドにおける前記重なり部分の間に挿入されていることを特徴とする請求項３に記載の水栓。
【発明の詳細な説明】
【技術分野】
【０００１】
本発明は、センサ等の電気部品を備える水栓に関する。
【背景技術】
【０００２】
特許文献１には、センサによる人体検知に基づいて吐水口から自動的に吐水するようになした水栓が開示されている。
【先行技術文献】
【特許文献】
【０００３】
【特許文献１】特開２０１０−１３３１３１号公報
【発明の概要】
【発明が解決しようとする課題】
【０００４】
電気部品を備える水栓においては、電気部品の電線コードが、吐水口と、吐水口の内部に配置される吐水用のホースとの間の隙間に配線される。ここで、吐水口がＵ字状等の湾曲部分を有する形状（グースネック形状）である場合には、水栓の組み立て時において、吐水用のホース及び電気部品を吐水口の内部に挿通させる際に、吐水口の湾曲部分に電線コードが引っ掛からないように、吐水口の湾曲部分に対する特定の位置に電線コードを配線した状態として挿通させる必要がある。
【０００５】
特許文献１の水栓においては、吐水口内にセンサを固定するためのセンサホルダを、吐水口の湾曲部分にまで至る長尺状の部材とし、そのセンサホルダに対して、電線コードを保持する部分を設けている。そして、センサホルダに電線コードを保持させることによって、吐水口の湾曲部分に対する特定の位置に電線コードを配線している。
【０００６】
しかしながら、上記構成の場合、吐水口の湾曲形状に応じて、それぞれ異なる形状のセンサホルダを製造する必要があり、構成部品の汎用性が低いという問題があった。特に、センサホルダに対して、電線コードを保持する部分を形成しているため、センサホルダの形状が複雑化するとともに、センサホルダの製造に用いる金型の形状も同様に複雑化する。そのため、電線コードを保持する部材であるセンサホルダの汎用性の低さは、製造に係るコストを大きく増大させる要因にもなる。
【０００７】
この発明は、こうした実情に鑑みてなされたものであり、その目的は、簡易な構成で、様々な形状の吐水口に対して、電気部品の電線コードを吐水口の内部の特定の位置に配線できるようにすることにある。
【課題を解決するための手段】
【０００８】
上記の目的を達成するための水栓は、湾曲部分を有する吐水口と、前記吐水口に取り付けられる電気部品と、前記吐水口の先端に着脱可能に設けられた吐水ヘッドと、前記吐水ヘッドに連結されるとともに、前記吐水口の内部に出し入れ移動可能に挿通されたホースと、前記吐水口と前記ホースとの間に介在されたホースガイドとを備え、前記電気部品の電線コードが前記吐水口の内部に配線された水栓であって、前記ホースガイドに取り付けられて、前記ホースガイドの外周に前記電線コードを保持する保持部材を備えることを特徴とする。
【０００９】
上記構成においては、吐水口の湾曲部分の形状に沿って配置されるホースガイドに対して、保持部材を取り付けて、この保持部材によってホースガイドに電線コードを保持させている。そのため、吐水口の湾曲部分の形状が変化しても、ホースガイドに対する保持部材の取り付け位置を調整することで、湾曲部分の形状に応じた適切な位置に電線コードを配線することができる。
【００１０】
また、吐水口の湾曲部の形状が異なる様々な水栓に対して、電線コードを特定の位置に配線するための構成部品（保持部材）が共通化されることにより、水栓の製造に係るコストを低減することができる。また、保持部材は、ホースガイド等の他の部材とは別体として設けられているため、ホースガイドに対する取り付け位置を任意に変更することが可能であり、これにより、電線コードの位置を変更することも可能である。
【００１１】
上記水栓において、前記保持部材には、前記ホースガイドに当接して前記ホースガイドに対する周方向の移動を規制する周方向規制部が設けられていることが好ましい。
上記構成によれば、ホースガイドに取り付けられた保持部材に電線コードを保持させる作業や、保持部材によって電線コードを外周に保持させた状態のホースガイドを吐水口の内部に挿通させる作業等を行う際に、保持部材の周方向の位置ずれを気にすることなく作業を行うことができる。
【００１２】
上記水栓において、前記ホースガイドは、一方の縁部から幅方向に延びる複数の第１スリットと、前記第１スリット同士の間に位置して、一方の縁部側の端部が閉じた形状の第２スリットとを有するシート材が幅方向に巻回されてなる筒状の部材であり、前記保持部材は、前記ホースガイドに取り付けられる取付部を備え、前記取付部には、前記周方向規制部として、前記第１スリットに挿入される第１突部及び前記ホースガイドの一方の縁部に当接する当接部の少なくとも一方と、前記第２スリットに挿入される第２突部とが設けられていることが好ましい。
【００１３】
上記構成によれば、簡易な構成にて、ホースガイドに対する保持部材の周方向の移動を規制することができる。さらに、ホースガイドに対する保持部材の軸方向（長さ方向）の移動も規制することができる。
【００１４】
上記水栓において、前記ホースガイドは、重なり部分を有して巻回されてなる筒状の部材であり、前記保持部材の前記取付部は、前記ホースガイドにおける前記重なり部分の間に挿入されていることが好ましい。
【００１５】
上記構成によれば、ホースガイドにホースが接触する際に、ホースガイドに取り付けられた保持部材にもホースが接触して、保持部材が位置ずれしてしまうことを抑制できる。
【発明の効果】
【００１６】
本発明によれば、様々な形状の吐水口に対して、電気部品の電線コードを吐水口の内部の特定の位置に配線することができる。
【図面の簡単な説明】
【００１７】
【図１】水栓の斜視図。
【図２】図１の拡大図。
【図３】（ａ）は保持部材の斜視図、（ｂ）は３ｂ−３ｂ線断面図。
【図４】ホースガイドの説明図。
【図５】保持部材の取り付け状態の説明図。
【発明を実施するための形態】
【００１８】
以下、本発明の一実施形態を説明する。
図１に示すように、水栓１０は、キッチンキャビネットのカウンタＡに固定されるボデー１１を備えている。ボデー１１の側部には、吐止水の切換え、吐水量調節、及び吐水温度調節等の各操作を行なうためのハンドル１２が設けられている。ボデー１１の上部には、Ｕ字状の湾曲部分１３ａを有する管状の吐水口１３がその基端部分において取り付けられている。
【００１９】
吐水口１３の先端には、吐水ヘッド１４が着脱可能に取り付けられている。吐水ヘッド１４には、吐水ヘッド１４の先端からの吐水を、通常（直流）吐水とシャワー吐水との間で切り換えるための切換えボタン１５が設けられている。吐水ヘッド１４の基端側には、金属製の可撓性のホース１６が連結されている。ホース１６は、吐水口１３及びボデー１１の内部を通り、カウンタＡの下部において、所定の弛みを持たせた状態で吐水管（図示略）に接続されている。
【００２０】
また、吐水口１３の内部には、可撓性を有する筒状のホースガイド２０が、吐水口１３の湾曲形状に追従して屈曲した状態で挿通されている。ホースガイド２０は、吐水口１３とホース１６との間に介在されている。つまり、ホースガイド２０の内側にホース１６が挿通されている。ホースガイド２０によって、吐水ヘッド１４を引き出して使用する際のホース１６の出し入れ移動が案内されるとともに、吐水口１３とホース１６との接触が抑制される。
【００２１】
図４に示すように、ホースガイド２０は、合成樹脂からなる帯状のシート材が、その幅方向に巻回されてなる筒状の部材であり、一方側の縁部である第１縁部２０ａが外側に位置するように重ねられた重なり部分２０ｂを有している。ホースガイド２０には、重なり部分２０ｂにおいて外側に位置する第１縁部２０ａから幅方向（周方向）に延びる複数の第１スリット２１が、ホースガイド２０の長さ方向に等間隔に形成されている。また、ホースガイド２０には、隣り合う第１スリット２１同士の間に位置して、幅方向（周方向）に延びるとともに、第１縁部２０ａ側の端部が閉じた形状をなす複数の第２スリット２２が、ホースガイド２０の長さ方向に等間隔に形成されている。
【００２２】
図１に示すように、吐水口１３の先端側の内部には、電気部品としてのセンサユニット３０が配置されている。センサユニット３０は、吐水口１３の内面側の上部に沿って配置される基部３１と、基部３１の上側に設けられ、水栓使用者の人体等の物体を非接触検出するセンサ部３２とを備えている。センサ部３２は、吐水口１３の先端側の上部に形成された貫通孔１７に嵌合されるとともに、貫通孔１７を通じて、吐水口１３の外面側に露出している。
【００２３】
また、センサユニット３０は、センサ部３２に接続されて、センサ部３２による検出に基づく信号の伝達やセンサ部３２に電力を供給する電線コード３３を備えている。電線コード３３は、吐水口１３及びボデー１１の内部を通り、カウンタＡの下部において、所定の弛みを持たせた状態で、吐水管（図示略）に設けられた電磁弁（図示略）及びＡＣアダプタ（図示略）にそれぞれ接続されている。
【００２４】
電線コード３３は、電力が供給される給電線、センサ部３２による検出に基づく信号が伝達される信号線等の複数の電線を並列状態でモールドして、扁平形状に形成されている。また、電線コード３３は、センサユニット３０に接続される側の短いコードと、電磁弁及びＡＣアダプタに接続される側の長いコードとからなり、各コードの端部間がコネクタ３４により接続されている。
【００２５】
センサユニット３０のセンサ部３２により水栓使用者の人体等の物体が非接触検出されると、その検出に基づく信号が電線コード３３を介して電磁弁に伝達される。そして、センサ部３２の検出結果に基づいて、電磁弁が動作して、吐水口１３からの吐止水が切換えられる。
【００２６】
図１に示すように、吐水口１３の内部において、電線コード３３は、吐水口１３の内面とホースガイド２０との間の空間に配線されている。また、図２に示すように、電線コード３３は、吐水口１３の湾曲部分１３ａの内部におけるホースガイド２０の側方にコネクタ３４が位置するように、すなわち、吐水口１３の湾曲部分１３ａの最も外周側（上側）に位置する部分、及び最も内周側（下側）に位置する部分を避けた位置にコネクタ３４が位置するように配線されている。
【００２７】
図２及び図３（ａ），（ｂ）に示すように、本実施形態の水栓１０は、上記の特定位置に電線コード３３が配線されるように、電線コード３３をホースガイド２０の外周に保持させる保持部材４０を備えている。保持部材４０は、ホースガイド２０とは別体として形成され、ホースガイド２０に取り付けて使用される。
【００２８】
図３（ａ），（ｂ）に示すように、保持部材４０は、第１端部４１ａ側から第２端部４１ｂ側に向かって幅方向に湾曲した板状の取付部４１を備えている。取付部４１の第２端部４１ｂには、取付部４１の外周面側に突出する壁状の当接部４２が形成されるとともに、当接部４２の先端部分には、取付部４１の内周面側に湾曲するフック状の保持部４３が設けられている。また、取付部４１の外周面には、取付部４１の両側縁に沿って当接部４２から幅方向に延びる突条形状をなす一対の第１突部４４と、第１端部４１ａの中央に位置する突起状の第２突部４５とが形成されている。
【００２９】
図４及び図５に示すように、保持部材４０は、ホースガイド２０の重なり部分２０ｂの間に、第１端部４１ａ側から取付部４１を挿入することにより、ホースガイド２０に取り付けられる。図５に示す取り付け状態において、ホースガイド２０の第１スリット２１内に、保持部材４０の第１突部４４が挿入されるとともに、ホースガイド２０の第２スリット２２内に、保持部材４０の第２突部４５が挿入される。また、ホースガイド２０の第１縁部２０ａに対して、保持部材４０の当接部４２が当接する。
【００３０】
上記の取り付け状態においては、ホースガイド２０における第２スリット２２の端部側に、保持部材４０の第２突部４５が当接することにより、ホースガイド２０に対する保持部材４０の周方向の一方側（図５における紙面手前側）への移動が規制される。そして、ホースガイド２０における第１スリット２１の先端側に、保持部材４０の第１突部４４が当接すること、及びホースガイド２０の第１縁部２０ａに保持部材４０の当接部４２が当接することにより、ホースガイド２０に対する保持部材４０の周方向の他方側（図５における紙面奥側）への移動が規制される。
【００３１】
したがって、本実施形態においては、第１突部４４、第２突部４５、及び当接部４２が周方向規制部として機能する。また、ホースガイド２０における第１スリット２１の側部側に、保持部材４０の第１突部４４が当接すること、及びホースガイド２０における第２スリット２２の側部側に、保持部材４０の第２突部４５が当接することにより、ホースガイド２０に対する保持部材４０の軸方向（長さ方向）の移動が規制される。
【００３２】
図１及び図２に示すように、上記の取り付け状態において、保持部材４０の保持部４３は、ホースガイド２０の側方に位置する。そして、保持部材４０の保持部４３とホースガイド２０との間に電線コード３３が収納される。これにより、ホースガイド２０の外周の側方位置に保持部材４０を介して電線コード３３が保持される。
【００３３】
ホースガイド２０の周方向における保持部４３の位置は、ホースガイド２０を回転させる等して、重なり部分２０ｂの位置を調整することによって、調整することが可能である。また、ホースガイド２０に対する保持部材４０の取り付け位置及び取り付け数は、電線コード３３が上記の特定位置に配線されるように、吐水口１３の湾曲部分１３ａの形状に応じて適宜、設定することができる。
【００３４】
なお、本実施形態においては、図１及び図２に示すように、吐水口１３の湾曲部分１３ａの内側となる位置であって、電線コード３３のコネクタ３４の近傍となる位置において、重なり部分２０ｂが上側（湾曲部分１３ａの外周側）に位置するように配置されているホースガイド２０に対して保持部材４０を取り付けている。そして、保持部材４０によって、電線コード３３におけるコネクタ３４の近傍の部分を保持させて、当該部分の位置をホースガイド２０の側方に位置決めすることにより、吐水口１３の湾曲部分１３ａの内部におけるホースガイド２０の側方にコネクタ３４を位置させている。
【００３５】
次に、本実施形態の作用及び効果について記載する。
（１）水栓１０は、湾曲部分１３ａを有する吐水口１３と、吐水口１３に取り付けられるセンサユニット３０と、吐水口１３の先端に着脱可能に設けられた吐水ヘッド１４と、吐水ヘッド１４に連結されるとともに、吐水口１３の内部に出し入れ移動可能に挿通されたホース１６と、吐水口１３とホース１６との間に介在されたホースガイド２０とを備えている。センサユニット３０の電線コード３３が吐水口１３の内部に配線されている。ホースガイド２０に取り付けられて、ホースガイド２０の外周に電線コード３３を保持する保持部材４０を備えている。
【００３６】
上記構成においては、吐水口１３の湾曲部分１３ａの形状に沿って配置されるホースガイド２０に対して、保持部材４０を取り付けて、この保持部材４０によってホースガイド２０に電線コード３３を保持させている。そのため、吐水口１３の湾曲部分１３ａの形状が変更されても、ホースガイド２０に対する保持部材４０の取り付け位置を調整することで、湾曲部分１３ａの形状に応じた適切な位置に電線コード３３を配線することができる。
【００３７】
また、吐水口１３の湾曲部分１３ａの形状が異なる様々な水栓１０に対して、電線コード３３を特定の位置に配線するための構成部品（保持部材４０）が共通化されることにより、水栓１０の製造に係るコストを低減することができる。また、保持部材４０は、ホースガイド２０等の他の部材とは別体として設けられているため、ホースガイド２０に対する取り付け位置を任意に変更することが可能であり、これにより、電線コード３３の位置を変更することも可能である。
【００３８】
（２）保持部材４０には、ホースガイド２０に当接してホースガイド２０に対する周方向の移動を規制する周方向規制部（第１突部４４、第２突部４５、及び当接部４２）が設けられている。
【００３９】
上記構成によれば、ホースガイド２０に取り付けられた保持部材４０に電線コード３３を保持させる作業や、保持部材４０によって電線コード３３を外周に保持させた状態のホースガイド２０を吐水口１３の内部に挿通させる作業等を行う際に、保持部材４０の周方向の位置ずれを気にすることなく作業を行うことができる。
【００４０】
（３）ホースガイド２０は、第１縁部２０ａから幅方向に延びる複数の第１スリット２１と、第１スリット２１同士の間に位置して、第１縁部２０ａ側の端部が閉じた形状の第２スリット２２とを有するシート材が幅方向に巻回されてなる筒状の部材である。保持部材４０は、ホースガイド２０に取り付けられる取付部４１を備えている。取付部４１には、ホースガイド２０の第１スリット２１に挿入される第１突部４４と、ホースガイド２０の第２スリット２２に挿入される第２突部４５と、ホースガイド２０の第１縁部２０ａに当接する当接部４２とが設けられている。
【００４１】
上記構成によれば、簡易な構成にて、ホースガイド２０に対する保持部材４０の周方向の移動及び軸方向（長さ方向）の移動を規制することができる。これにより、ホースガイド２０に取り付けられた保持部材４０に電線コード３３を保持させる作業や、保持部材４０によって電線コード３３を外周に保持させた状態のホースガイド２０を吐水口１３の内部に挿通させる作業等を行う際に、保持部材４０の軸方向及び軸方向の位置ずれを気にすることなく作業を行うことができる。
【００４２】
（４）ホースガイド２０は、重なり部分２０ｂを有して巻回されてなる筒状の部材である。保持部材４０の取付部４１は、ホースガイド２０の重なり部分２０ｂの間に挿入されている。
【００４３】
上記構成によれば、保持部材４０の取付部４１がホースガイド２０の内周側に露出し難くなる。これにより、ホースガイド２０にホース１６が接触する場合（例えば、ホース１６をホースガイド２０内に挿通させる際や吐水ヘッド１４を引き出して使用する際）に、ホースガイド２０に取り付けられた保持部材４０にホース１６が接触して、保持部材４０が位置ずれしてしまうことを抑制できる。
【００４４】
（５）保持部材４０は、吐水口１３の湾曲部分１３ａの内部におけるホースガイド２０の側方（吐水口１３の湾曲部分１３ａにおける最も外周側に位置する部分、及び最も内周側に位置する部分を避けた位置）に電線コード３３のコネクタ３４が位置するように、ホースガイド２０に取り付けられている。
【００４５】
電線コード３３において、コネクタ３４は最も厚みが大きくなりやすい部分である。そのため、コネクタ３４をホースガイド２０の側方に位置させることにより、保持部材４０によって電線コード３３を外周に保持させた状態のホースガイド２０を吐水口１３の内部に挿通させる際における引っ掛かりの発生を効果的に抑制することができる。
【００４６】
すなわち、ホースガイド２０は、吐水口１３の一方の端部から吐水口１３内に押し込まれることにより他方の端部側へと挿通され、吐水口１３の湾曲部分１３ａにおいては、吐水口１３の内周面に追従して湾曲部分１３ａの外周側から内周側に向かって屈曲しながら他方の端部側へと挿通される。ここで、ホースガイド２０に対するコネクタ３４の位置が、吐水口１３の湾曲部分１３ａにおける最も外周側又は最も内周側を通る位置であると、コネクタ３４の厚みの分だけホースガイド２０を大きく屈曲させる必要がある。
【００４７】
そこで、上記構成においては、吐水口１３の湾曲部分１３ａにおける最も外周側及び最も内周側を避けた位置をコネクタ３４が通るように、ホースガイド２０に対するコネクタ３４の位置を設定している。これにより、コネクタ３４の厚みに基づく、湾曲部分１３ａを通過させるために必要なホースガイド２０の屈曲量の増加分が小さく抑えられる。その結果、吐水口１３の湾曲部分１３ａに対してホースガイド２０がスムーズに挿通されやすくなり、湾曲部分１３ａにおけるホースガイド２０やコネクタ３４の引っ掛かりの発生を効果的に抑制することができる。
【００４８】
本実施形態は、次のように変更して実施することも可能である。また、上記実施形態の構成や以下の変更例に示す構成を適宜、組み合わせて実施することも可能である。
・保持部材４０の取付部４１について、ホースガイド２０に対する取り付け構造は、ホースガイド２０の重なり部分２０ｂの間に挟み込む構成に限定されるものではない。例えば、ホースガイド２０の第１縁部２０ａを挟み込む断面コ字状に形成する構成や、接着剤によりホースガイド２０に取り付けられる構成であってもよい。
【００４９】
・保持部材４０の取付部４１について、第１突部４４及び当接部４２の一方を省略してもよい。この場合においても、ホースガイド２０に対する保持部材４０の周方向の移動を規制することができる。また、第１突部４４及び当接部４２の両方を省略してもよい。また、第２突部４５を省略してもよい。
【００５０】
・保持部材４０の保持部４３の形状は、電線コード３３をホースガイド２０の外周に沿わせた状態で保持可能であれば、特に限定されるものではない。
・保持部材４０について、取付部４１に対する保持部４３の位置を調整可能な構成としてもよい。例えば、取付部４１と保持部４３とを別体として形成し、取付部４１の複数箇所に、保持部４３を取り付け可能な部分を設ける。そして、これらの部分から保持部４３を取り付ける位置を選択することで、取付部４１に対する保持部４３の位置を調整可能とする。このように構成した場合には、保持部４３の位置を調整することで、ホースガイド２０に対する特定の位置に電線コード３３を配線することが容易になる。
【００５１】
・ホースガイド２０について、吐水口１３の湾曲形状に追従しながら吐水口１３内に挿通可能な可撓性の部材であれば、その構成は特に限定されるものではない。例えば、ホースガイド２０は、第１スリット２１及び第２スリット２２の一方又は両方が形成されていないものであってもよいし、第３のスリットが形成されているものであってもよい。また、ホースガイド２０は、重なり部分２０ｂを備えないものであってもよい。
【００５２】
・電線コード３３は、コネクタ３４を備えない電線コードであってもよい。この場合、保持部材４０は、吐水口１３の湾曲部分１３ａにおける最も外周側に位置する部分、及び最も内周側に位置する部分を避けた位置に電線コード３３が位置するように、ホースガイド２０に取り付けられる。
【００５３】
・吐水口１３の内部における電線コード３３の配線は特に限定されるものではなく、吐水口１３の湾曲部分１３ａの形状等に応じて好適な位置に設定することができる。そして、電線コード３３の配線に応じて、ホースガイド２０における保持部材４０の取り付け位置及び取り付け数も変更することができる。
【００５４】
・水栓１０は、吐水口１３の内部にセンサユニット３０を固定するためのセンサホルダを備えるものであってもよい。
・上記実施形態では、電気部品としてセンサユニット３０を用いていたが、電気部品は、吐水口１３内に配線される電線コード３３を有するものであればよい。センサユニット３０以外の電気部品としては、例えば、押しボタン等のスイッチや手許ランプが挙げられる。
【００５５】
次に、上記実施形態及び変更例から把握できる技術的思想について、以下に記載する。
（イ）前記保持部材は、前記吐水口の内部において、前記吐水口の湾曲部分における最も外周側に位置する部分、及び最も内周側に位置する部分の両部分を避けた位置に前記電線コードのコネクタが位置するように、前記ホースガイドに取り付けられている前記水栓。
【符号の説明】
【００５６】
１０…水栓、１１…ボデー、１３…吐水口、１４…吐水ヘッド、１６…ホース、２０…ホースガイド、２０ａ…第１縁部、２０ｂ…重なり部分、２１…第１スリット、２２…第２スリット、３０…センサユニット、３２…センサ部、３３…電線コード、３４…コネクタ、４０…保持部材、４１…取付部、４２…当接部、４３…保持部、４４…第１突部、４５…第２突部。
【図１】
2018066210.tif 000003
【図２】
2018066210.tif 000004
【図３】
2018066210.tif 000005
【図４】
2018066210.tif 000006
【図５】
2018066210.tif 000007